(57)【要約】【課題】傘を開閉する時、牽引ワイヤーの位置を限定し、傘の開閉をし易くする多段式折り畳み傘骨牽引ワイヤーの固定構造を提供する。【解決手段】多段式折り畳み傘牽引ワイヤーの固定構造であって、主として傘の支骨にスライド部品を取り付け、前記スライド部品はほぼＵ字型の形状を呈し、且つ頂端に近いところに一対の対応する孔洞を設けてリベットを貫通させ、且つ支骨と平行して設置された牽引ワイヤーを前記リベットに巻き付け、更に前記リベットを固定することによって、スライド部品が支骨の上でスライドできるようにする。多段式折り畳み傘を開閉するときは、前記スライド部品によって牽引ワイヤーの移動位置を制限し、牽引ワイヤーがズレるのを防ぎ、スムーズに傘の開閉を行う。【選択図】図３
0003133708.tif 000002
【実用新案登録請求の範囲】
【請求項１】
多段式折り畳み傘骨牽引ワイヤーの固定構造であって、
親骨と、夾骨と、短骨と、支骨と、牽引ワイヤー及び長骨と、スライド部品と、を含む傘骨フレームからなり、
前記親骨の前端は、傘の中棒の頂端の上ロクロに枢着し、後端は支骨の前端近くに枢着し、
夾骨の前端は中棒の下ロクロに枢着し、後端は親骨の中段部位近くに枢着し、
前記短骨の前端は夾骨の後端近くに枢着し、後端は支骨の前端部に枢着し、
前記支骨の後端は長骨の前端部近くに枢着し、
前記牽引ワイヤーの前端は親骨の後端部近くに枢着し、そして後端は長骨の前端部に枢着しており、
前記スライド部品は、支骨の上でスライドできる状態で支骨に嵌められ、且つ牽引ワイヤーをスライド部品に固定していることを特徴とする、
多段式折り畳み傘骨牽引ワイヤーの固定構造。
【請求項２】
前記スライド部品は、底座を備え、前記底座の上に一対の対応する凸耳が延伸され、前記凸耳には対応する孔洞が設置され、スライド部品は略Ｕ字型であることを特徴とする、請求項１に記載の多段式折り畳み傘骨牽引ワイヤーの固定構造。
【請求項３】
前記スライド部品の凸耳孔洞の中にはリベットを取り付け、前記リベットに牽引ワイヤーの中段部位を巻き付けて固定できるようにしたことを特徴とする、請求項１に記載の多段式折り畳み傘骨牽引ワイヤーの固定構造。
【考案の詳細な説明】
【技術分野】
【０００１】
本考案は、多段式折り畳み傘骨牽引ワイヤーの固定構造に関し、特にスライド部品を利用して牽引ワイヤーの移動位置を制御して傘の開閉をスムーズにすることの出来る多段式折り畳み傘骨牽引ワイヤーの固定構造に関する。
【背景技術】
【０００２】
折り畳み傘は、収納及び携帯が便利なために、広く人々に好まれている。
従来の折り畳み傘は、図１及び図２に示すように、その傘骨は主として、親骨１０と、夾骨１１と、短骨１２と、支骨１３と、牽引ワイヤー１４及び長骨１５を含む。
前記親骨１０の前端は傘の中棒１６頂端の上ロクロ１７に枢着し、後端は支骨１３の前端近くに枢着し、そして夾骨１１の前端は、中棒１６の下ロクロ１８に枢着し、後端は親骨１０の中段部位近くに枢着し、前記短骨１２の前端は夾骨１１の後端近くに枢着し、後端は支骨１３の前端部に枢着し、前記支骨１３の後端は長骨１５の前端部近くに枢着し、前記牽引ワイヤー１４の前端は親骨１０の後端部近くに枢着し、そして後端は長骨１５の前端部に枢着することによって、牽引ワイヤー１４と支骨１３が平行して設置されている。
【０００３】
傘を広げるときは、下ロクロ１８を上へ移動し、夾骨１１が其れに伴って上へ移動し、親骨１０を上へ移動させることによって、親骨１０が牽引ワイヤー１４及び支骨１３を上へ移動させ、牽引ワイヤー１４が更に長骨１５を上へ移動させ、傘を開かせる。
そして傘を閉じるときは、同様に牽引ワイヤー１４によって長骨１５を下へ移動させ、傘を閉じる目的を達成する。
従って、傘をスムーズに開閉させるため、牽引ワイヤー１４の位置制限がかなり重要となってくる。
【０００４】
従来型の牽引ワイヤー１４の位置制限構造は、次のような問題点がある。
１．  図１に示すように、支骨１３の中に金属バネ１４１を入れておき、且つ牽引ワイヤー１４をバネ１４１の中に入れておき、金属バネ１４１によって牽引ワイヤー１４の位置制限を行う。然るに、このような構造では、金属バネ１４１と金属支骨１３が絶えず摩擦を起こし、長く使用すると、磨耗する恐れがある。
２．  図２に示すように、支骨１３の上に嵌め環１４２を嵌め、且つ牽引ワイヤー１４を嵌め環１４２の中に貫通させてある。しかし、このような構造では、牽引ワイヤー１４が支骨１３と絶えず摩擦を起こし、長く使用すると、磨耗する恐れがある。
これによって分かるように、上述従来の方式には尚幾多の欠点があり、よい設計とは言い難く、改良が待たれていた。
【０００５】
本案考案者は、上述従来方式に派生する各項の欠点に鑑み、極力新規改善を試み、且つ長年苦心研鑽の末、ついに本案多段式折り畳み傘骨牽引ワイヤーの固定構造の研究開発に成功した。
【考案の開示】
【考案が解決しようとする課題】
【０００６】
本考案の目的は、傘を開閉する時、牽引ワイヤーの位置を限定し、傘の開閉をし易くする多段式折り畳み傘骨牽引ワイヤーの固定構造を提供することにある。
本考案の次の目的は、構造が簡単で、組み立てが容易且つコストの安い多段式折り畳み傘骨牽引ワイヤーの固定構造を提供することにある。
【課題を解決するための手段】
【０００７】
上記実用新案の目的を達成できる多段式折り畳み傘骨牽引ワイヤーの固定構造は、スライド部品を含み、前記スライド部品には底座を備え、前記底座には一対の対応する凸耳を延伸し、前記凸耳の上に一対の対応する孔洞を設置することによって、スライド部品が略Ｕ字型を呈すようにしてあり、前記スライド部品を傘骨の支骨に嵌め、且つ前記凸耳の孔洞の中にリベットを貫通させ、更にリベットを固定して、スライド部品を支骨に嵌めると共に支骨の上でスライドできるようにし、且つ牽引ワイヤーの中段部位をリベットに巻き付け、スライド部品が牽引ワイヤーの移動位置を制限し、傘の開閉をスムーズにする目的を達成する。
【考案の効果】
【０００８】
本考案の提供する多段式折り畳み傘骨牽引ワイヤーの固定構造は、その他従来の技術に比べ、下記のような長所がある。
１．本考案は、傘を開閉するとき、牽引ワイヤーの位置を制限して安定させ、傘の開閉を便利にすることが出来る。
２．本考案は、簡単な構造の構成によって、組み立てが容易で、低コストの効能を供えている。
【考案を実施するための最良の形態】
【０００９】
図３及び図４を参照して、本考案に係る多段式折り畳み傘骨牽引ワイヤーの固定構造は、主として、親骨２１と、夾骨２２と、短骨２３と、支骨２４と、牽引ワイヤー２５及び長骨２６と、スライド部品３と、を含む傘骨フレーム２からなり、前記親骨２１の前端は、傘の中棒２７の頂端の上ロクロ２８に枢着し、後端は支骨２４の前端近くに枢着し、夾骨２２の前端は中棒２７の下ロクロ２９に枢着し、後端は親骨２１の中段部位近くに枢着し、前記短骨２３の前端は夾骨２２の後端近くに枢着し、後端は支骨２４の前端部に枢着し、前記支骨２４の後端は長骨２６の前端部近くに枢着し、前記牽引ワイヤー２５の前端は親骨２１の後端部近くに枢着し、そして後端は長骨２６の前端部に枢着することによって、牽引ワイヤー２５と支骨２４が平行して設置されている。
【００１０】
前記スライド部品３は、底座３１を備え、前記底座３１の上に一対の対応する凸耳３２を延伸し、前記凸耳３２に対応する一対の孔洞（図示せず）を設置することによって、スライド部品３がほぼＵ字型を呈すようにしてある。
前記スライド部品３を、傘骨フレーム２の支骨２４の上に嵌め、且つ前記凸耳３２の孔洞にリベット４を貫通させ、更にリベットを固定してスライド部品３を支骨２４に嵌めると共に、支骨２４の上でスライドできるようにしてある。更に牽引ワイヤー２５の中段部位をリベット４に巻き付けることによって、牽引ワイヤー２４の中段部位を固定できるようにしてある。
【００１１】
図５は、本考案の操作略図であり、傘を広げるときは、下ロクロ２９を上へ移動し、夾骨２２が其れに伴って上へ移動し、且つ親骨２１を押して上へ移動させることによって、親骨２１が牽引ワイヤー２５及び支骨２４を上へ移動させて傘を開かせる。
牽引ワイヤー２５は、移動の過程でスライド部品３の位置限定の影響を受け、傘をスムーズに開かせる。
反対に、傘を閉じるときは、同様に牽引ワイヤー２５が長骨２６を下へ移動させ、傘を閉じる目的を達成する。
【００１２】
以上の詳細な説明は、本考案の実行可能な実施例の具体的説明である、但し前記実施例は本考案の特許請求の範囲を制限するものではなく、凡そ本考案の技芸精神を逸脱せずなされる等価実施又は変更は、すべて本考案の請求範囲に含まれるものとする。
【図面の簡単な説明】
【００１３】
【図１】従来型多段式折り畳み傘牽引ワイヤーの固定構造略図である。
【図２】別の従来型多段式折り畳み傘牽引ワイヤーの固定構造略図である。
【図３】本考案に係る多段式折り畳み傘牽引ワイヤーの固定構造の側面図である。
【図４】本考案に係る多段式折り畳み傘牽引ワイヤーの固定構造のスライド部品及び牽引ワイヤーの枢着図である。
【図５】本考案に係る多段式折り畳み傘牽引ワイヤーの固定構造の操作略図である。
【符号の説明】
【００１４】
１０    親骨
１１    夾骨
１２    短骨
１３    支骨
１４    牽引ワイヤー
１４１  金属バネ
１４２  嵌め環
１５    長骨
１６    中棒
１７    中ロクロ
１８    下ロクロ
２      傘骨フレーム
２１    親骨
２２    夾骨
２３    短骨
２４    支骨
２５    牽引ワイヤー
２６    長骨
２７    中棒
２８    上ロクロ
２９    下ロクロ
３      スライド部品
３１    底座
３２    凸耳
４      リベット
【図１】
0003133708.tif 000003
【図２】
0003133708.tif 000004
【図３】
0003133708.tif 000005
【図４】
0003133708.tif 000006
【図５】
0003133708.tif 000007